(57)【要約】      （修正有）【課題】タングステン電球の電灯内に装設可能で優れた全面発光特性を有するＬＥＤ電球を提供する。【解決手段】ＬＥＤ電球は、主にバルブ１と、口金２と、バルブ１に内設される全面的に有効発光可能なＬＥＤ発光体３と、口金２に内設されると共に窒化ガリウムトランジスタ（ＧＡＮ  ＦＥＴ）を有する駆動回路基板４と、を備える。反射板を備えないＬＥＤチップ３１がのこぎりの歯状に分布されてパッケージングされるＬＥＤ発光体を使用することで全面的に有効な発光を可能とする。また、窒化ガリウムトランジスタは高効率、高周波、低デューティ比パワー変換という長所を有し、ＬＥＤ発光体３の発光効率を更に高めつつ駆動回路基板４のサイズの縮小をも実現し、駆動回路基板４のサイズに制限されることなくタングステン電球の電灯内に装設可能とする。【選択図】図１
0003221464.tif 000002
【実用新案登録請求の範囲】
【請求項１】
バルブと、口金と、前記バルブに内設される全面的に有効発光可能なＬＥＤ発光体と、前記口金に内設されると共に窒化ガリウムトランジスタを有する駆動回路基板と、を備え、前記バルブは透光材質で製造される中空球体であり、前記口金は前記バルブの一端に設置されると共に給電のためのアノード及びカソードとする端部及びネジ山部を有し、前記ＬＥＤ発光体は反射板を備えない複数のＬＥＤチップがのこぎりの歯状に分布配列された後、各ＬＥＤチップ間が導線により接続され、アノード導線及びカソード導線が先頭及び最後尾のＬＥＤチップに接続され、その後に熱伝導性絶縁コロイドによりパッケージングされ、前記窒化ガリウムトランジスタを有する駆動回路基板は前記ＬＥＤ発光体のアノード導線及びカソード導線に電気的に接続され、且つ前記駆動回路基板の電源のアノード及びカソードの入力部は導線により前記口金のネジ山部及び前記端部に接続され、口金により電源に接続された後に前記駆動回路基板により前記ＬＥＤ発光体が駆動されて発光することを特徴とする優れた全面発光特性を有するＬＥＤ電球。
【考案の詳細な説明】
【技術分野】
【０００１】
本考案は、ＬＥＤを発光体として使用する電球に関し、更に詳しくは、優れた全面発光特性を有するＬＥＤ電球に関する。
【背景技術】
【０００２】
一般的にはＬＥＤを固体冷光源とすれば、エネルギー節約、環境保護、長寿命等のメリットが得られ、現在すでに照明分野において主流となっている。
【考案の概要】
【考案が解決しようとする課題】
【０００３】
しかしながら、従来のＬＥＤ電灯、特にＬＥＤ電球形式の電灯は発光輝度を追求するためにバルブ内に複数のＬＥＤチップが設置される基板や基柱が装設され、口金に内設される駆動回路によりＬＥＤチップが駆動されて発光する。但し、基板にＬＥＤチップが設置される態様では発光方向が限られ、基柱にＬＥＤチップが設置される態様では全面的発光特性が向上するが放熱効果が優れず、且つ使用されるＬＥＤチップはサファイアを支持部材とし、支持部材に反射板が塗布されるため、ＬＥＤチップの全面的発光特性が優れなかった。
【０００４】
さらに、ＬＥＤチップを駆動させて発光させる駆動回路として従来のトランジスタが使用されるが、トランジスタの体積が大きいため駆動回路の回路基板のサイズも縮小できず、電球の口金内部に装設不可能になった。このため、バルブと口金との間にベースを増設させて回路基板を装設させねばならず、これによってＬＥＤ電球はその体積が従来のタングステン電球よりもずっと大きくなり、従来の電灯内に装設不可能になった。
【０００５】
そこで、本考案者は上記の欠点が改善可能と考え、鋭意検討を重ねた結果、合理的設計で上記の課題を効果的に改善する本考案の提案に到った。
【０００６】
本考案は、このような従来の問題に鑑みてなされたものである。上記課題解決のため、本考案は、優れた全面発光特性を有するＬＥＤ電球を提供することを目的とする。つまり、反射板を備えないＬＥＤチップがのこぎりの歯状に分布されてパッケージングされるＬＥＤ発光体を使用することで、全面的に有効に発光させる。
【０００７】
本考案の他の目的は、窒化ガリウムトランジスタを有する駆動回路基板を使用することで、窒化ガリウムトランジスタの高効率、高周波、低デューティ比パワー変換という長所によりＬＥＤ発光体の発光効率を更に高めつつ駆動回路基板のサイズも縮小させ、駆動回路基板のサイズに制限されずに電球を従来の電球と同じ大きさに設計可能にし、従来の電灯内に装設可能にする。
【課題を解決するための手段】
【０００８】
上記課題を解決するために、本考案のある態様の優れた全面発光特性を有するＬＥＤ電球は、バルブと、口金と、前記バルブに内設される全面的に有効発光可能なＬＥＤ発光体と、前記口金に内設されると共に窒化ガリウムトランジスタ（ＧＡＮ  ＦＥＴ）を有する駆動回路基板と、を備える。前記バルブは透光材質で製造される中空球体であり、前記口金は前記バルブの一端に設置されると共に給電のためのアノード及びカソードとする端部及びネジ山部を有する。前記ＬＥＤ発光体は反射板を備えない複数のＬＥＤチップがのこぎりの歯状に分布配列された後、各ＬＥＤチップ間が導線により接続され、アノード導線及びカソード導線が先頭及び最後尾のＬＥＤチップに接続され、その後に熱伝導性絶縁コロイドによりパッケージングされる。前記窒化ガリウムトランジスタ（ＧＡＮ  ＦＥＴ）を有する駆動回路基板は前記ＬＥＤ発光体のアノード導線及びカソード導線に電気的に接続され、且つ前記駆動回路基板の電源のアノード及びカソードの入力部は導線により前記口金のネジ山部及び前記端部に接続され、口金が電源に接続された後に前記駆動回路基板により前記ＬＥＤ発光体が駆動されて発光する。
【図面の簡単な説明】
【０００９】
【図１】本考案に係る優れた全面発光特性を有するＬＥＤ電球を説明する構成の概略図である。
【図２】本考案に係る優れた全面発光特性を有するＬＥＤ電球を説明する概略図である。
【考案を実施するための形態】
【００１０】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１１】
本考案に係る優れた全面発光特性を有するＬＥＤ電球は主にバルブ１と、口金２と、前記バルブ１に内設される全面的に有効発光可能なＬＥＤ発光体３と、前記口金２に内設されると共に窒化ガリウムトランジスタ（ＧＡＮ  ＦＥＴ）４１を有する駆動回路基板４と、を備える（図１参照）。
【００１２】
前記バルブ１は透光材質で製造される中空球体であり、一般的にはガラス材質で製造される。前記口金２は前記バルブ１の一端に設置されると共に給電のためのアノード及びカソードとする端部２１及びネジ山部２２を有する。
【００１３】
前記ＬＥＤ発光体３は反射板を備えない複数のＬＥＤチップ３１がのこぎりの歯状に分布配列された後、各ＬＥＤチップ３１間が導線３１１によって接続され、アノード導線３２及びカソード導線３３が先頭及び最後尾のＬＥＤチップ３１に接続され、その後に熱伝導性絶縁コロイド３４によりプレート状体にパッケージングされる。また、前記アノード導線３２及びカソード導線３３の一端は前記熱伝導性絶縁コロイド３４の外部までそれぞれ延伸される。
【００１４】
前記窒化ガリウムトランジスタ（ＧＡＮ  ＦＥＴ）４１を有する駆動回路基板４は前記ＬＥＤ発光体３のアノード導線３２及びカソード導線３３の前記熱伝導性絶縁コロイド３４外部に露出される一端に電気的に接続され、且つ前記駆動回路基板４の電源のアノード及びカソードの入力部は導線により前記口金２のネジ山部２２及び前記端部２１に接続され、口金２が電源に接続された後に前記駆動回路基板４により前記ＬＥＤ発光体３が駆動されて発光する。
【００１５】
前述の説明のように、本考案の長所は反射板を備えないＬＥＤチップ３１がのこぎりの歯状に分布されてパッケージングされるＬＥＤ発光体３を使用することにより、各ＬＥＤチップ３１の外周面が全て発光して優れた全面発光特性を実現させる。また、のこぎりの歯状に分布される前記ＬＥＤチップ３１が発生させる熱は分散されるため、一箇所に集中せず、ＬＥＤチップ３１の発光効率が高まり、寿命も延びる。
【００１６】
本考案の他の長所は、窒化ガリウムトランジスタを有する駆動回路基板を使用することで、窒化ガリウムトランジスタの高効率、高周波、低デューティ比パワー変換という長所によりＬＥＤ発光体の発光効率を更に高めつつ駆動回路基板のサイズも縮小させ、駆動回路基板のサイズに制限されずに電球を従来の電球と同じ大きさに設計可能にし、従来の電灯内に装設可能にする。
【００１７】
以上、本考案の実施形態について図面を参照して詳述したが、具体的な構成はこの実施形態に限られるものではなく、本考案の要旨を逸脱しない範囲の設計変更等も含まれる。
【符号の説明】
【００１８】
１      バルブ
２      口金
２１    端部
２２    ネジ山部
３      ＬＥＤ発光体
３１    ＬＥＤチップ
３１１  導線
３２    アノード導線
３３    カソード導線
３４    熱伝導性絶縁コロイド
４      駆動回路基板
【図１】
0003221464.tif 000003
【図２】
0003221464.tif 000004